(57)【特許請求の範囲】
【請求項１】
情報を表示可能な第１表示画面を有する第１表示部と、情報を表示可能な第２表示画面を有する第２表示部と、前記第１表示部と前記第２表示部とを相対的に移動可能に連結する連結機構とを有する電子機器であって、
前記第１表示画面の周辺の照度を検知する照度検知手段と、
前記第１表示画面の基準面に対する傾斜角度を検出する第１傾き検出手段と、
前記第２表示画面の前記基準面に対する傾斜角度を検出する第２傾き検出手段と、
前記照度及び前記第１表示画面の傾斜角度に基づいて、前記第１表示画面の周辺の実際の照度である第１実照度を計算する第１実照度計算手段と、
前記第１実照度、前記第１表示画面の傾斜角度、及び前記第２表示画面の傾斜角度に基づいて、前記第２表示画面の周辺の実際の照度である第２実照度を計算する第２実照度計算手段と、
前記第１実照度に基づいて、前記第１表示画面の輝度を計算する第１画面輝度計算手段と、
前記第２実照度に基づいて、前記第２表示画面の輝度を計算する第２画面輝度計算手段とを有する電子機器。
【請求項２】
情報を表示可能な第１表示画面を有する第１表示部と、情報を表示可能な第２表示画面を有する第２表示部と、前記第１表示部と前記第２表示部とを相対的に移動可能に連結する連結機構とを有する電子機器であって、
前記第１表示画面の周辺の照度を検知する照度検知手段と、
前記第１表示画面の基準面に対する傾斜角度を検出する第１傾き検出手段と、
前記第２表示画面の前記基準面に対する傾斜角度を検出する第２傾き検出手段と、
光源の位置を検知する光源位置検出手段と、
前記第１表示画面の傾斜角度、前記照度、及び前記光源の位置に基づいて、前記第１表示画面の周辺の実際の照度である第１実照度を計算する第１実照度計算手段と、
前記第１実照度、前記第１表示画面の傾斜角度、及び前記第２表示画面の傾斜角度に基づいて、前記第２表示画面の周辺の実際の照度である第２実照度を計算する第２実照度計算手段と、
前記第１実照度に基づいて、前記第１表示画面の輝度を計算する第１画面輝度計算手段と、
前記第２実照度に基づいて、前記第２表示画面の輝度を計算する第２画面輝度計算手段とを備える電子機器。
【請求項３】
前記第１実照度計算手段は、
前記照度検知手段に入射される光の入射角度を計算する入射角度計算手段と、
前記入射角度に応じて、前記照度検知手段によって検知された照度を補正する補正手段とを有することを特徴とする請求項１又は請求項２に記載の電子機器。
【請求項４】
前記第２実照度計算手段は、前記第１実照度に対する前記第２実照度の関係と、前記第１表示画面の傾斜角度に対する前記第２表示画面の傾斜角度に対する関係とが対応していることを利用して、前記第２実照度を計算することを特徴とする請求項１から請求項３のいずれかに記載の電子機器。
【請求項５】
前記第１表示画面の傾斜角度の変化を検知する傾き変化検知手段を備え、
前記第１画面輝度計算手段及び前記第２画面輝度計算手段は、当該変化を検知してから所定時間が経過した場合に、前記第１表示画面の輝度及び前記第２表示画面の輝度を計算する請求項１から請求項４のいずれかに記載の電子機器。
【発明の詳細な説明】
【技術分野】
【０００１】
本発明は、複数の表示画面を備えた電子機器に関する。
【背景技術】
【０００２】
携帯電話機等の表示画面を備えた電子機器では、ＬＥＤ等の光源を用いたバックライトにより、表示画面に背面から光を照射して表示を行うものがある。
【０００３】
例えば、特許文献１には、受光素子により表示画面の周辺の光量を検出し、この光量に応じてバックライトの発光光量を制御することが記載されている。そして、このように受光素子の検出結果に応じてバックライトの発光光量を制御することにより、周辺の明るさの差異に関わらず表示品質を向上することができるとされている。
【先行技術文献】
【特許文献】
【０００４】
【特許文献１】特開２００３−２１５５３４号公報
【発明の概要】
【発明が解決しようとする課題】
【０００５】
しかし、上記技術を用いて、表示品質を向上させようとすると、表示画面毎に受光素子を設ける必要がある。これを、複数の表示画面を有する電子機器に適用すると、電子機器に複数の受光素子を搭載しなければならない。この場合、受光領域の確保及び部品点数の増大といった理由から、電子機器全体が大型化するという課題がある。
【０００６】
一方、単一の受光素子を用いて１つの表示画面の周辺の光量を検出し、この検出結果に基づいて全ての表示画面に対応するバックライトの発光光量を制御することも考えられる。しかし、このようにすると、全ての表示画面について明るさの環境は同じでないことから、表示画面によっては、表示品質がかえって低下するというおそれがある。
【０００７】
従って、複数の表示画面を有する電子機器において、各表示画面の見易さを向上することが求められている。
【課題を解決するための手段】
【０００８】
本発明の一態様による電子機器は、情報を表示可能な第１表示画面を有する第１表示部と、情報を表示可能な第２表示画面を有する第２表示部と、前記第１表示部と前記第２表示部とを相対的に移動可能に連結する連結機構とを有する電子機器である。この電子機器は、前記第１表示画面の周辺の照度を検知する照度検知手段と、前記第１表示画面の基準面に対する傾斜角度を検出する第１傾き検出手段と、前記第２表示画面の前記基準面に対する傾斜角度を検出する第２傾き検出手段と、前記第１表示画面の傾斜角度、前記第２表示画面の傾斜角度、及び前記照度に基づいて、前記第１表示画面及び第２表示画面の輝度を設定する輝度設定手段とを有する。
【発明の効果】
【０００９】
本発明の一態様による電子機器によれば、複数の表示画面それぞれの見易さを向上させることができる。
【図面の簡単な説明】
【００１０】
【図１】本発明の第１の実施形態による電子機器の構成例を示す斜視図である。
【図２】図１の表示画面どうしが重なった状態の電子機器を、第１表示画面の斜め上方から見たときの斜視図である。
【図３】図１の表示画面どうしが重なった状態の電子機器を、第２表示画面の斜め上方から見たときの斜視図である。
【図４】本発明の第１の実施形態による電子機器の構成例を示すブロック図である。
【図５】照度について説明するための模式的な図である。
【図６】第１表示画面及び第２表示画面の輝度を設定する手順の一例を示すフローチャートである。
【図７】回路基板上の加速度センサを示す斜視図である。
【図８】加速度センサによる傾斜角度の検出方法を説明するための図である。
【図９】傾斜角度による照度センサの感度の違いを説明するための模式的な図であり、（ａ）は、表示画面に対する光の入射を示す図、（ｂ）は、照度センサに対する光の入射を示す図である。
【図１０】傾斜角度による照度センサの感度の違いを説明するための模式的な図であり、（ａ）は、表示画面に対する光の入射を示す図、（ｂ）は、照度センサに対する光の入射を示す図である。
【図１１】図６のフローチャートの一部の手順を詳細に示すフローチャートである。
【図１２】（ａ）は、第１表示画面の実照度を導出するためのテーブルを示す図であり、（ｂ）は、表示画面の傾斜角度について説明するための模式的な図である。
【図１３】実照度と設定する輝度との関係を示す図である。
【図１４】表示画面の傾斜方向を説明する図である。
【図１５】第１表示画面の実照度を導出するための３つのテーブルを示す図である。
【図１６】本発明の第２の実施形態による電子機器の構成例を示すブロック図である。
【図１７】第１表示画面及び第２表示画面の輝度を設定する手順の別の例を示すフローチャートである。
【図１８】図１７のフローチャートの一部の手順を詳細に示すフローチャートである。
【図１９】照度センサに対する光の入射角度を示す図である。
【図２０】本発明の第３の実施形態による電子機器の構成例を示すブロック図である。
【図２１】所定時間経過後に第１表示画面及び第２表示画面の輝度を設定する手順の一例を示すフローチャートである。
【図２２】電子機器の構成の変形例を示す斜視図である。
【図２３】電子機器の構成の別の変形例を示す斜視図である。
【発明を実施するための形態】
【００１１】
以下、本発明の実施形態について図面を参照しつつ説明する。
（第１の実施形態）
本発明の第１の実施形態に係る電子機器としては、例えば地上デジタル放送の受信機能を具えた携帯型電子機器を挙げることができる。図１乃至図３は、本発明の第１の実施形態による電子機器の外観を示す図である。また、図４は、図１乃至図３の電子機器の構成例を示すブロック図である。図１に示すように、本実施形態に係る電子機器１０ａは、表示部２０，３０（以下、「第１表示部２０」及び「第２表示部３０」ともいう。）、表示画面２１，３１、タッチパネル２２，３２、筺体２３，３３、連結機構４０、マイクロフォン２５、スピーカ２６、及び受光窓２７を有している。ここで、受光窓２７は、照度センサ５７（図４）に照射される光を受光するための窓である。
【００１２】
また、図４に示すように、電子機器１０ａは、制御回路５１、電話通信のための通信回路５２、第１表示画面２１のバックライトとなる第１光照射装置５５、第２表示画面３１
のバックライトとなる第２光照射装置５６、第１表示画面２１の周辺の照度を検知する照度センサ５７、第１表示部２０の内部に設けられた第１加速度センサ５８、及び第２表示部３０の内部に設けられた第２加速度センサ５９、制御回路５１とともに第１表示画面２１及び第２表示画面３１の表示制御を行う表示制御部６０、及び各種データを記憶するメモリ６１を有している。
【００１３】
図１乃至図３に示すように、本実施形態に係る電子機器１０ａは、文字、図形、静止画、動画等の各種情報を表示可能な表示画面をそれぞれ有する第１の表示部２０および第２の表示部３０と、第１表示部２０と第２表示部３０とを相対的に開閉やスライド等により移動可能に連結する連結機構４０とを有する。
【００１４】
第１表示部２０は、第１表示画面２１と、該第１表示画面２１の表面にユーザが触れることで操作可能なタッチパネル２２とを有する。また、第２表示部３０は、第２表示画面３１と、該第２表示画面３１の表面にユーザが触れることで操作可能なタッチパネル３２とを有する。
【００１５】
第１表示部２０及び第２表示部３０は、一方の面、即ち、図１における上面が開口した筺体２３，３３内に、第１表示画面２１及び第２表示画面３１（以下、まとめて、「表示画面２１，３１」ともいう。）が開口側から視認可能となるように収容されている。表示画面２１，３１は、例えば、液晶ディスプレイなどの電気光学装置である。表示画面２１，３１は、マイクロコンピュータからなる制御回路５１及び表示制御部６０に電気的に接続され、制御回路５１及び表示制御部６０による表示制御の下、各種情報を表示する。
【００１６】
筺体２３，３３の開口側には第１タッチパネル２２及び第２タッチパネル３２（以下、まとめて、「タッチパネル２２，３２」ともいう。）が設けられている。タッチパネル２２，３２は、筺体２３，３３の開口を塞ぐように配設され、表示画面２１，３１が視認可能となるよう透明に形成されている。タッチパネル２２，３２として、静電容量方式や抵抗膜方式のものを例示できる。タッチパネル２２，３２は、図示しないタッチパネル制御部を介して、制御回路５１(図４参照)に電気的に接続されている。ユーザがタッチパネル２２，３２を指等で触れて操作すると、指先等によって触れた位置を示す座標情報がタッチパネル制御部を介して制御回路５１に引き渡される。これにより、ユーザの操作内容が制御回路５１に伝達される。
【００１７】
タッチパネル２２，３２を用いたユーザの操作として、比較的短くタッチパネル２２，３２に触れるタップやダブルタップ、タッチパネル２２，３２に触れる時間が、これらよりも長く、タッチパネル２２，３２にタッチしたままタッチポイントを移動させる操作である所謂ドラッグ、指やスタイラス等でタッチパネル２２，３２をタッチしてから素早く払う操作である所謂フリック、タッチパネル２２，３２を２つの指等でタッチしたままその距離を変える所謂ピンチ、タッチパネル２２，３２の同じ位置を長押しする所謂ロングタッチを例示できる。
【００１８】
第１表示部２０と第２表示部３０は、連結機構４０により、相対的に移動可能となっており、本実施形態による電子機器１０ａでは、第１表示部２０を第２表示部３０に対してスライド可能かつ回動可能としている。
【００１９】
連結機構４０は、第１筺体２３の背面の上下方向略中央と、第２筺体３３の先端を連結している。連結機構４０は、複数のアーム等によって構成することができ、その詳細については説明を省略するが、連結機構４０によって、第１表示部２０は、第２表示部３０に対して、接近、離間方向にスライド可能かつ回動可能となっている。なお、連結機構４０は、第１表示部２０と第２表示部３０をスライドのみ又は回動のみ等に連結するように構
成することもできる。
【００２０】
照度センサ５７は、第１表示部２０の内部に配置され、第１表示画面２１の周囲に設けられた受光窓５７ａ（図１）から入射される光を受光する。照度センサ５７は、入射される光の量に応じた信号を出力することにより、第１表示画面２１の周辺の明るさを示す照度を検出する（後述する）。
【００２１】
第１光照射装置５５及び第２光照射装置５６は、第１表示画面２１及び第２表示画面３１が、例えば液晶ディスプレイである場合、ＬＥＤバックライト等が挙げられる。このとき、制御回路５１は、ＬＥＤバックライトの発光光量を制御することにより、第１表示画面２１及び第２表示画面３１の輝度を変化させる。
【００２２】
以上のような第１表示画面２１及び第２表示画面３１を有する電子機器１０ａを、光源が真上にある、若しくは真上にあるとみなすことができる一般的な環境で用いる場合を考える。このとき、第１表示画面２１及び第２表示画面３１にそれぞれ照射される光（光束）の量は、表示画面２１，３１の水平面に対する傾きによって大きく異なる。例えば、図５に示すように、水平面（基準面）に対する傾き（傾斜角度）が０°である第２表示画面３１は、光源からの光が垂直に入射するため、傾斜角度が０°より大きい（θ＞０°）第１表示画面２１よりも照射される光の量が多くなる。その結果、第２表示画面３１の周辺の照度は、第１表示画面２１の周辺の照度よりも高くなる。
【００２３】
よって、本実施形態による電子機器１０ａにおいては、第１表示画面２１の傾き及び第２表示画面３１の傾きを考慮して、第１表示画面２１及び第２表示画面３１の周辺の実際の照度を求め、これらの実際の照度に基づいて各表示画面２１，３１の輝度、ここでは、バックライトの発光光量を設定している。ここで、第１の表示画面２１の周辺の実際の照度とは、第１表示画面２１の周囲に配置した照度センサ５７によって測定された照度を第１表示画面２１の傾斜角度に応じて補正した照度であり、第２表示画面３１の周辺の実際の照度とは、上記第１表示画面２１の周辺の実際の照度、第１表示画面２１の傾斜角度、及び第２表示画面３１の傾斜角度に基づいて求めた照度である。
すなわち、本実施形態による電子機器１０ａにおいては、各表示画面２１，３１の周囲の環境に応じて輝度を設定するため、表示画面２１，３１のそれぞれの表示品質（見易さ）を向上させることができる。
【００２４】
以下に、第１表示画面２１及び第２表示画面３１の輝度を設定する手順について、図６のフローチャートを用いて説明する。
【００２５】
図６に示すように、まず、第１表示画面２１の基準面に対する傾きを検出し（ステップ１：Ｓ１）、第２表示画面３１の基準面に対する傾きを検出する（ステップ２：Ｓ２）。次に、照度センサ５７によって照度を検出する（ステップ３：Ｓ３）。そして、最後に、第１表示画面２１の基準面に対する傾き、第２表示画面３１の基準面に対する傾き、及び照度センサ５７によって検出された照度に基づいて、第１表示画面２１の輝度及び第２表示画面３１の輝度を設定する（ステップ４：Ｓ４）。
【００２６】
なお、これらの工程は、電子機器１０ａの制御回路５１による制御によって実現されるものであり、照度の検出は、制御回路５１が照度センサ５７を制御することにより、また第１表示画面２１の傾き及び第２表示画面３１の傾きは、制御回路５１が、第１加速度センサ５８及び第２加速度センサ５９をそれぞれ制御することにより実現される。
【００２７】
また、ステップ１〜ステップ３は、必ずしもこの順序で行われる必要はなく、順序を入れ替えて行われてもよい。
【００２８】
以下に、図６の各ステップについて詳細に説明する。まず、ステップ１の第１表示画面２１の基準面に対する傾きの検出方法について説明する。この検出方法は、第２表示画面３１の基準面に対する傾きの検出（ステップ２）にも用いられるため、これらのステップ１，２についてまとめて説明する。
【００２９】
第１表示画面２１及び第２表示画面３１の基準面に対する傾きは、第１加速度センサ５８及び第２加速度センサ５９（以下、「加速度センサ５８，５９」とも表記する。）を用いて検出される。加速度センサ５８，５９は、図７に示すように、表示部２０，３０の内部にそれぞれ配置された回路基板７０上に搭載されている。そして、加速度センサ５８，５９の出力信号を用いることにより、回路基板７０の表面と平行なＸ軸、Ｙ軸、及び回路基板７０の表面に垂直なＺ軸の方向の重力加速度成分の値(ＸＸ、ＹＹ、ＺＺ)が得られる。
【００３０】
制御回路５１は、加速度センサ５７，５８から得られる重力加速度成分の値ＺＺに基づいて、回路基板７０の傾斜角度θを算出する。例えば、回路基板７０の傾斜角度θは、図８に示すように、加速度センサ５７，５８から得られる重力加速度成分の値ＺＺに基づいて、ｃｏｓθ＝ＺＺ／１００の関係式から算出することができる(１Ｇに対応する出力値
が１００の場合)。
【００３１】
以上から、回路基板７０の主面、すなわち図７のＸＹ平面が第１表示画面２１（第２表示画面３１）に平行であり、水平面を基準面とするとき、第１加速度センサ５８（第２加速度センサ５９）を用いて、第１表示画面２１（第２表示画面３１）の基準面に対する傾斜角度θを求めることができる。
【００３２】
次に、ステップ３において、照度センサ５７により照度を検出する。ここで、照度センサ５７が検出する照度の値は、図９に示すように第１表示部２０が基準面に対して平行な場合と、図１０に示すように第１表示部２０が基準面に対して傾斜している場合とでは大きく異なる。これは、上述したように、第１表示画面２１の傾斜角度θが大きくなるにつれて、第１表示画面２１が受ける光の量が少なくなるからという理由もあるが、その他に、照度センサ５７の感度が、第１表示画面２１の傾斜角度θが大きくなるにつれて低くなるという理由にもよる。これは、照度センサ５７が受光窓６５の奥方に配置されているために、第１表示画面２１の傾斜角度θが大きくなり、照度センサ５７に対する光の入射角度が大きくなると、受光窓６５を通過して照度センサ５７に入射する光の量が少なくなってしまうからである。すなわち、照度センサ５７の感度は、入射光が垂直に入射する場合を最大として、光の入射角度が大きくなるにつれて低くなる。
【００３３】
よって、本実施形態による電子機器１０では、次のステップ４において、制御回路５１が、この感度の違いを補正した実照度（後述する）を求め、この補正した実照度を利用して、第１表示画面２１の輝度及び第２表示画面３１の輝度を設定している。
【００３４】
図６に示すように、ステップ４では、制御回路５１が、第１表示画面２１の傾き、第２表示画面３１の傾き、及び照度に基づいて、第１表示画面２１及び第２表示画面３１の輝度を設定する。この輝度の設定方法については、図１１に示すフローチャートを用いて説明する。
【００３５】
まず、図１１に示すように、第１表示画面２１の基準面に対する傾きと、照度センサ５７によって検出された照度とを利用して、第１表示画面２１の周辺の実際の照度（以下、「第１実照度」ともいう。）を算出する（ステップ４１：Ｓ４１）。この第１実照度は、上述した照度センサ５７の感度の違いを考慮して、照度センサ５７によって検出された照度を補正したものである。第１実照度の算出にあたっては、第１表示画面２１の傾斜角度とその傾斜角度の場合に照度センサ５７によって検出される照度とを示す情報をテーブル形式等で予めメモリ６１に記憶させておき、この情報から導出する形態としてもよい。図１２は、上述の情報を示すテーブルの一例を示している。図１２のテーブルを用いる場合、例えば、傾斜角度が１０°のときに、照度センサ５７によって検知された照度が９４であれば、第１表示画面２１が受ける光の量が同じである場合（つまり、１０００Ｌｘの場合）の傾斜角度が０°であるときの照度「１００」を、第１実照度として求めることができる。
【００３６】
なお、図１２（ａ）のテーブルにおいて、傾斜角度が０°〜９０°の場合とは、図１２（ｂ）に示すように、第１表示画面２１の基準面からの角度θが０より大きい（θ＞０）場合であり、傾斜角度が−９０°〜０°の場合とは、角度θが０より小さい（θ＜０）の場合である。
【００３７】
次に、上記第１実照度に基づいて第１表示画面２１の輝度を設定する（ステップ４２：Ｓ４２）。これは、第１表示画面２１が、例えば液晶ディスプレイであって、バックライトの発光光量によって輝度を変化させる場合、図１３に示すように、第１実照度に応じて、発光輝度を段階的に変化させればよい。
【００３８】
次に、第１実照度と、第１表示画面２１の傾き、第２表示画面３１の傾きに基づいて、第２表示画面３１の周辺の実際の照度（「第２実照度」ともいう。）を算出する（ステップ４３：Ｓ４３）。これは、図５で示されるような、光源が真上にあるときの、表示画面の傾斜角度と照度との関係をテーブル形式等で予めメモリ６１に記憶させておけばよい。ここでいう表示画面の傾斜角度と照度との関係とは、照度が、表示画面の傾斜角度が大きくなればなるほど低くなるという関係である。制御回路５１は、第１実照度に対する第２実照度の関係と、第１表示画面の傾斜角度に対する第２表示画面の傾斜角度に対する関係とが対応していることを利用して、第２実照度を算出する。なお、上述の処理手順において、ステップ４３は、ステップ４２の前に実施してもよい。
【００３９】
次に、上記第２実照度に基づいて第２表示画面３１の輝度を設定する（ステップ４４：Ｓ４４）。これは、ステップ４２と同様の方法で設定することができる。
【００４０】
以上のように、本実施形態による電子機器１０によれば、単一の照度センサ５７を利用して、第１表示画面２１及び第２表示画面３１の周辺の実際の照度（第１実照度及び第２実照度）を求め、それらの照度に応じた第１表示画面２１及び第２表示画面３１の輝度を設定する。従って、搭載する照度センサの個数を増大させることなく、第１表示画面２１及び第２表示画面３１の見易さをそれぞれ向上させることができる。
【００４１】
なお、電子機器１０は、照度センサ５７を第１表示部２０に搭載しているが、第２表示部３０に搭載した場合でも、同様の作用効果が得られる。
【００４２】
また、上述の例では、第１表示画面２１の傾斜角度および第２表示画面３１の傾斜角度を、ともに加速度センサを用いて検出したが、第１表示画面２１および第２表示画面の一方の傾斜角度を加速度センサを用いて検出し、表示画面２１，３１のなす角度を、連結機構４０を構成する回転軸に設けたロータリーエンコーダを用いて検出することにより、それらの検出結果に基づいて、第１表示画面２１および第２表示画面の他方の傾斜角度を算出してもよい。
【００４３】
なお、以上の例では、第１実照度を算出するにあたり、照度センサ５７の感度が、第１表示画面２１の傾斜角度θによって変化することを考慮した。しかし、照度センサ５７の
感度が第１表示画面２１の傾斜方向によっても変化することを考慮すれば、より正確な第１実照度を算出することができる。その場合には、ステップ４１において、以下のような処理を行う。この場合、第１表示画面２１の傾斜方向は、加速度センサ５８を用いて用いることができる。
【００４４】
図１４に示す３軸絶対座標系においてＸo軸とＹo軸によって規定される水平面を基準として、Ｘo軸回りの回転による傾斜方向(上下方向)Ａと、Ｙo軸回りの回転による傾斜方向(左右方向)Ｂと、Ｘo軸及びＹo軸に対して４５°を為す軸回りの傾斜方向(斜め方向)Ｃとを設定し、各傾斜方向にはそれぞれ４５°の幅をもたせた場合、第１加速度センサ５８が搭載された回路基板７０の任意の傾斜方向は、これら３つの傾斜方向Ａ、Ｂ、Ｃの何れかに該当させることができる。
【００４５】
メモリ６１には、図１５（ａ）（ｂ）（ｃ）に示す如き３つのテーブルが格納されている。図１５（ａ）のテーブルは、回路基板７０が上下方向に傾斜した場合において、周辺の明るさ(１００Ｌｘ、５００Ｌｘ、１０００Ｌｘ、３０００Ｌｘ)の下、回路基板７０の傾斜角度θが(−９０°〜０°〜９０°)の範囲で変化したとき、照度センサ５７によって検知される照度の一例を示している。
【００４６】
また、図１５（ｂ）のテーブルは、回路基板７０が左右方向に傾斜した場合において、周辺の明るさ(１００Ｌｘ、５００Ｌｘ、１０００Ｌｘ、３０００Ｌｘ)の下、回路基板７０の傾斜角度θが(−９０°〜０°〜９０°)の範囲で変化したとき、照度センサ５７によって検知される照度の一例を示している。
【００４７】
更に、図１５（ｃ）のテーブルは、回路基板７０が斜め方向に傾斜した場合において、周辺の明るさ(１００Ｌｘ、５００Ｌｘ、１０００Ｌｘ、３０００Ｌｘ)の下、回路基板７０の傾斜角度θが(−９０°〜０°〜９０°)の範囲で変化したとき、照度センサ５７によって検知される照度の一例を示している。
【００４８】
これらのテーブルは、予め、太陽光や蛍光灯の如く頭上に存在する一般的な光源の下で、照度センサ５７に対する光の入射角度を変化させることによって取得された照度データに基づき、あらゆる条件に対応可能な最適値を算出してテーブル化したものである。
【００４９】
例えば、傾斜方向が上下方向の場合、傾斜角度が１０°、照度センサによって検知された照度が９４であれば、図１５のテーブルを用いて、第１表示画面２１が受ける光の量が同じである場合（つまり、１０００Ｌｘの場合）の傾斜角度が０°であるときの照度「１００」を、第１実照度として求めることができる。
【００５０】
なお、第１表示部２０と第２表示部３０が連結機構４０によって連結されていることにより、第１表示画面２１の傾斜方向と第２表示画面３１の傾斜方向は等しくなる。よって、第１実照度と第２実照度との関係は、第１表示画面２１の傾斜角度と第２表示画面３１の傾斜角度との関係のみによって決まると考えてよい。
【００５１】
また、傾斜方向は、上述の方法以外にも、例えば、磁気センサを用いて検出してもよい。この場合、磁気センサは、回路基板７０上に搭載され、地磁気を検知して水平面内における方位を出力する。
（第２の実施形態）
次に、本発明の第２の実施形態による電子機器について、図１６乃至図１８を用いて説明する。本実施形態による電子機器１０ｂは、光源の位置をも考慮して、第１表示画面２１及び第２表示画面３１の輝度を設定することができる。よって、ユーザによって携帯されることにより、光源から電子機器に入射する光の入射方向が変化し、光源が真上にあると仮定できなくなったとしても、第１表示画面２１及び第２表示画面３１の輝度を適切に設定することができる。なお、本実施形態による電子機器は、第１の実施形態による電子機器と同様に携帯型電子機器とし、その外観は、図１乃至図３と同様であるため、本実施形態による電子機器の外観図は省略する。また、以下では、第１の実施形態による電子機器と同様の構成及び作用効果については説明を省略する。
【００５２】
図１６は、本発明の第２の実施形態による電子機器の構成例を示すブロック図である。図１６に示すように、本実施形態による電子機器１０ｂは、時計機能を有する時間計測部７５、及びＧＰＳ受信部７６を有する。ＧＰＳ受信部７６は、ＧＰＳ（Ｇｌｏｂａｌ Ｐ
ｏｓｉｔｉｏｎｉｎｇ Ｓｙｓｔｅｍ）衛星からの電波信号を受信する。電子機器は、時
間計測部７５及びＧＰＳ受信部７６からの信号を利用して、現在の日付及び時刻に関する情報、並びに現在の位置に関する情報を取得する。
【００５３】
図１７は、本実施形態による電子機器１０ｂにおいて、制御回路５１が、第１表示画面２１及び第２表示画面３１の輝度を設定する手順を示すフローチャートである。図１７に示すように、まず、光源の位置を検出する（ステップ１１：Ｓ１１）。このステップ１１については、図１８を用いて詳細に説明する。なお、ここでは、光源が太陽である場合について説明する。
【００５４】
光源が太陽の場合、日付、時刻、及び現在位置の情報を用いて、太陽の方位及び水平方向に対する傾き（太陽高度）を求めることができる。
【００５５】
以下に、上記太陽の位置情報等を取得する方法について、図１８を参照しつつ説明する。まず、制御回路５１は、現在の位置情報を取得する（ステップ１０１：Ｓ１０1）。より詳細には、制御回路５１は、ＧＰＳ受信部７６によって電波信号が受信され、受信信号が出力されると、当該受信信号を解析し、経度及び緯度を含む現在位置の情報を求め、得られた情報をメモリ６１に記憶する。
【００５６】
また、制御回路５１は、現在の日時を取得する（ステップ１０２：Ｓ１０２）。より詳細には、制御回路５１は、時間計測部７５から、日付情報及び時刻情報を取得する。
【００５７】
次に、制御回路５１は、メモリ６１から読み出した現在位置情報と、日付情報及び時刻情報に基づいて、太陽の方位、高度を算出する（ステップ１０３：Ｓ１０３）。この算出にあたっては、緯度、経度、及び日時毎の、太陽の方位及び高度を示す情報をテーブル形式等で予めメモリ６１に記憶させておき、当該情報から測定日当日の測定位置における太陽の方位及び高度（以下、光源位置）を導出する形態としてもよい。
【００５８】
また、測定日当日の測定位置における光源位置を予め定められた計算式により算出する形態としてもよい。
【００５９】
次に、図１７に示すように、制御回路５１は、第１表示画面２１の位置を検出する（ステップ１２：Ｓ１２）。第１表示画面２１の位置とは、第１表示画面２１の傾斜角度θ及び第１表示画面２１の傾斜方向を含む。傾斜角度θは、第１の実施形態において説明したように、加速度センサ５８を用いて検出することができる。
【００６０】
次に、ステップ１１で検出された光源の位置と、ステップ１２で検出された第１表示画面２１の位置とから、照度センサ５７に対する太陽からの光の入射角度αを算出する（ステップ１３：Ｓ１３）。図１９に示すように、入射角度αは、照度センサ５７から見た太陽の方向と、照度センサ５７の正面方向とのなす角度として算出される。
【００６１】
そして、算出された入射角度αと、照度センサ５７によって検出された照度とに基づいて、第１表示画面２１の周辺の実際の照度である第１実照度を求める（ステップ１４：Ｓ１４）。
【００６２】
ここで、第１実照度の求め方は、第１の実施形態における第１実照度の求め方と同様である。第１の実施形態においては、光源が電子機器の真上にあると仮定しており、照度センサ２７から見た光源の方向と照度センサ２７の正面方向とのなす角度（ここでいう入射角度α）を、第１表示画面２１の基準面からの傾斜角度θと等しいとみなしている。本実施形態による電子機器１０ｂでは、傾斜角度θの代わりに入射角度αを用い、入射角度αとその入射角度αの場合に照度センサ２７によって検出される照度とを示す情報をテーブル形式等で予めメモリ６１に記憶させておき、この情報から、第１実照度を導出することができる。
【００６３】
次に、上記第１実照度に基づいて第１表示画面２１の輝度を設定する（ステップ１５：Ｓ１５）。これは、第１表示画面２１が、例えば液晶ディスプレイであって、バックライトの発光光量によって輝度を変化させる場合、図１３と同様に、第１実照度に応じて、発光輝度を段階的に変化させればよい。
【００６４】
次に、第１実照度と、第１表示画面２１の位置、及び第２表示画面３１の位置に基づいて、第２表示画面３１の周辺の実際の照度（「第２実照度」ともいう。）を算出する（ステップ１６：Ｓ１６）。これは、例えば、第２表示画面３１における中心点から見た光源の角度と、第２表示画面３１に垂直な方向とのなす角度（以下、角度βともいう。）を角度βとし、角度βが大きくなるほど、照度が低くなるという関係を利用して、第２実照度を求めることができる。具体例としては、角度βと照度との関係をテーブル形式等で予めメモリ６１に記憶させておき、制御回路５１が角度βを算出し、メモリ６１からその算出した角度βと照度との関係を読み出すことによって、第２実照度を求めることができる。なお、第２表示画面３１における中心点は、第２表示画面３１の形状に応じて適宜設定すればよく、例えば、第２表示画面３１が矩形状、又は略矩形状の場合、その矩形における対角線の交点とすればよい。また、第２表示画面３１の中心点に限らず、第２表示画面３１の輝度設定の基準となる部位としてその他の部位を選択することができる。
【００６５】
次に、ステップ１５と同様の方法で、上記第２実照度に基づいて第２表示画面３１の輝度を設定する（ステップ１７：Ｓ１７）。
【００６６】
なお、上述の処理手順において、ステップ１６は、ステップ１５の前に実施してもよい。
【００６７】
以上のように、本実施形態による電子機器１０によれば、光源の位置をも考慮して、第１表示画面２１及び第２表示画面３１の周辺の照度（第１実照度及び第２実照度）を求め、これらの照度に応じた第１表示画面２１及び第２表示画面３１の輝度を設定する。従って、搭載する照度センサの個数を増大させることなく、第１表示画面２１及び第２表示画面３１の見易さを向上させることができる。
【００６８】
なお、光源が蛍光灯等の照明器具である場合は、電子機器１０ｂに光源の方向を検出するセンサを別途設け、その検出結果に基づいて、照度センサ５７に対する光源からの光の入射角度α等を求めてもよい。また、通信部等を介して、光源あるいは他の外部装置から光源の位置を示す位置情報を取得できるようにし、その位置情報にもとづいて、制御回路５１が光源の位置情報を算出し、光源の位置を検出するようにしてもよい。
（第３の実施形態）
次に、本発明の第３の実施形態による電子機器について説明する。本実施形態による電
子機器１０ｃは、第１表示画面２１の傾きの変化を検知する傾き変化検知手段を有し、当該変化を検知してから所定時間が経過すると、第２表示画面３１の輝度を設定する。これにより、第１表示画面２１の傾きが短時間で変化する場合は、輝度設定が行われず、第１表示画面２１の傾きが変化してから所定時間が経過したときのみ、第１表示画面２１及び第２表示画面３１の輝度設定が行われる。
【００６９】
なお、本実施形態による電子機器は、第１の実施形態による電子機器と同様に携帯型電子機器とし、その外観は、図１乃至図３と同様であるため、本実施形態による電子機器の外観図は省略する。また、以下では、第１の実施形態による電子機器と同様の構成及び作用効果については説明を省略する。
【００７０】
図２０は、本発明の第３の実施形態による電子機器の構成例を示すブロック図である。図２０に示すように、本実施の形態による電子機器１０ｃは、図４に示すブロック図にタイマー７８を追加した構成を有している。本実施形態による電子機器１０ｃにおいて、制御回路５１は、第１表示画面２１の傾きの変化を、第１加速度センサ５７から得られる重力加速度成分の値ＺＺの変化によって検知する。また、制御回路５１は、当該変化を検知してから所定時間が経過したかどうかを、図２０に示すタイマー７８によって測定された時間が所定の時間を超えたか否かによって判断する。
【００７１】
また、制御回路５１は、第１加速度センサ５７から得られる重力加速度成分の値ＺＺの変化が所定の大きさ以上であるとき、傾きが変化したとみなすこともできる。この場合は、操作者が実際に電子機器１０ｃを操作している際に少し画面を傾斜させた場合等の電子機器１０ｃの微小な動きは検知されずにすむ。
【００７２】
図２１は、本実施形態による電子機器１０ｃにおいて、制御回路５１が、第１表示画面２１及び第２表示画面３１の輝度を設定する手順を示すフローチャートである。図２１に示すように、制御回路５１は、第１表示画面２１の傾き変化を検知すると（ステップ２１：Ｓ２１）、タイマー７８に、時間の計測の開始を指示する（ステップ２２：Ｓ２２）。その後、所定の時間が経過するまで計測を継続させる（ステップ２３：Ｓ２３におけるＮＯ）。なお、時間の計測を開始してから、所定の時間が経過したことを検知するまでの動作をタイマー動作という。
【００７３】
ステップＳ２３において、所定時間が経過したことを検知すると（Ｓ２３におけるＹＥＳ）、第１表示画面２１の輝度および第２表示画面３１の輝度を設定する（ステップ２４：Ｓ２４）。このステップＳ２４の処理は、図１１に示す処理であってもよいし、図１７および図１８に示す処理であってもよい。
【００７４】
この構成により、操作者が実際に操作をするために、電子機器１０ｃを安定して同じ位置に保持する場合に、輝度設定が行われる。反対に、例えば、操作者が実際に操作をせず、電子機器１０ｃを持ち歩いているときなど、表示画面２１，３１の傾きが頻繁に変化するときは、輝度設定が行われず、無駄な電力の消費を抑えることができる。
【００７５】
以上、本発明に係る電子機器について実施形態に基づいて説明したが、この電子機器を部分的に変形することもでき、本発明は、上述の実施形態に限られない。
【００７６】
例えば、第１表示部２０および第２表示部３０が相対的にスライドにより移動可能に連結されていてもよい。その場合、図２２に示すように、照度センサ２７は、電子機器をスライドにより閉じたときに露出する表示部に設けるとよい。
【００７７】
なお、図２２に示すように、第１の表示部２０および第２の表示部３０がスライドによ
り移動可能に連結されている場合は、それぞれの表示部２０，３０が個別に異なる角度で傾くとは考えにくいため、第１の実施形態のように光源が電子機器の真上にある場合は、第１表示画面２１および第２表示画面３１の基準面からの傾斜角度は同じとみなして、それぞれの表示画面２１，３１の輝度を求めることができる。一方、第２の実施形態のように光源の位置を考慮する場合には、各表示画面２１，３１の所定の部位（例えば、中心点）から見た光源の方向と各表示画面に垂直な方向との成す角度α，βを求め、各表示画面２１，３１の輝度を求めることができる。
【００７８】
また、第１乃至第３の実施形態による電子機器において設定された輝度は、状況に応じて適宜変化させることが可能であってよい。例えば、第１の実施形態による電子機器１０ａの第１表示部２０の内部に更に近接センサ８０を設け、その近接センサ８０によって、第１表示画面２１の近くに顔があると判断した場合には、操作者が第１表示部２０に設けたマイクロフォン２５とスピーカ２６を利用して通話を行っていると判断して、第１表示画面２１の輝度を低減する構成としてもよい。
【符号の説明】
【００７９】
１０ａ，１０ｂ，１０ｃ：電子機器
２０：第１表示部
２１：第１表示画面
２２：第１タッチパネル
２３：第１筺体
２５：マイクロフォン
２６：スピーカ
２７：受光窓
３０：第２表示部
３１：第２表示画面
３２：第２タッチパネル
３３：第２筺体
４０：連結機構
５１：制御回路
５５：第１光照射装置
５６：第２光照射装置
５７：照度センサ
５８：第１加速度センサ
５９：第２加速度センサ
７６：ＧＰＳ受信部
７７：時間計測部
７８：タイマー
８０：近接センサ
【図１】
0005780848.tif 000002
【図２】
0005780848.tif 000003
【図３】
0005780848.tif 000004
【図４】
0005780848.tif 000005
【図５】
0005780848.tif 000006
【図６】
0005780848.tif 000007
【図７】
0005780848.tif 000008
【図８】
0005780848.tif 000009
【図９】
0005780848.tif 000010
【図１０】
0005780848.tif 000011
【図１１】
0005780848.tif 000012
【図１２】
0005780848.tif 000013
【図１３】
0005780848.tif 000014
【図１４】
0005780848.tif 000015
【図１５】
0005780848.tif 000016
【図１６】
0005780848.tif 000017
【図１７】
0005780848.tif 000018
【図１８】
0005780848.tif 000019
【図１９】
0005780848.tif 000020
【図２０】
0005780848.tif 000021
【図２１】
0005780848.tif 000022
【図２２】
0005780848.tif 000023
【図２３】
0005780848.tif 000024